(57)【要約】      （修正有）【課題】薄型テレビでありながらレトロ調等デザイン上の雰囲気を醸し出すテレビ付き家具を提供する。【解決手段】液晶テレビの表示枠に対応する窓１１１を備えた筐体１１の、前記表示枠の内側に、当該窓に対応して表示画面が露出するように薄型テレビ本体１を固定し、更に、当該薄型テレビ本体の後方または下側に収納部をそなえた。更に、前記液晶テレビ本体の両側、あるいは下側の両側にスピーカ窓を設けることができ、それに加えて前記表示画面の一方の側面にリモコン収納部を配置した構成とした。薄型テレビでありながら、家具調ブラウン管テレビと同様の外観を楽しむことができ、レトロ調あるいは好みに応じた外観に仕上げることができる。【選択図】図１
0003204690.tif 000002
【実用新案登録請求の範囲】
【請求項１】
前面に液晶テレビの表示枠に対応する窓と、
当該窓に対してその表示画面を前面にして固定された薄型テレビ本体と、
前記液晶テレビ本体の後方に備えた収納部と
よりなることを特徴とするテレビ付き家具。
【請求項２】
前記薄型テレビ本体が配置される一方の前面横のスペースに、前面に開くドアを設け、当該ドアを開いた状態でリモコンを収納できるリモコン収納部を備えた請求項１に記載のテレビ付き家具。
【請求項３】
前記テレビ本体が配置される下側の両側に、上開きドアを設け、当該上開きドアを開いた状態でスピーカを収納できるスピーカ収納部を備えた請求項１に記載のテレビ付き家具。
【請求項４】
前記テレビ本体の後方に、収納部を備えた、請求項１に記載のテレビ付き家具。
【考案の詳細な説明】
【技術分野】
【０００１】
本考案はテレビ付き家具に関するものである。
【背景技術】
【０００２】
ブラウン管テレビに使用されたブラウン管は、前面の画面部分に対応して窓を設け、後方に電子銃の部分に対応した奥行きを備えた大きさで、更に、前面にはチャンネルつまみ、音量つまみ等が画面の横に、あるいは下に配列された構成になっていた。すなわち、この大きさではテレビであると同時に、家具であり、居間に置いたときにそれなりの見栄えがが必要であった。
【０００３】
ところが、液晶テレビ等の薄型テレビの時代になると、パネル状の画面になり、リモコン技術の発達により、画面の横や下に種々の操作用につまみを配列する必要もなくなり、前記パネルとその裏に受信システム、あるいは録画システムを機能させる回路群が配列されるのみで、外観上は画面とそれを支える脚部で構成されるのみになっている。
【０００４】
特開２０１４−９０８７３には、液晶等の薄型テレビの本体背面に配置されるコネクタ等が露出することを防止する目的で、背面にベースパネルを配置した家具が開示されている。
【先行技術文献】
【特許文献】
【０００５】
【特許文献１】特開２０１４−９０８７３号公報
【考案の概要】
【考案が解決しようとする課題】
【０００６】
特開２０１４−９０８７３は、現状の薄型テレビのフレームをそのまま露出した状態でラックに取り付けるようになっているので、外観上は薄型テレビそのものと代わり映えがしない。
【０００７】
薄型テレビは、その容積はブラウン管テレビに比して小さい製品ではあるが、一方で、収納ケースのようなデザイン上の工夫を要する要素が少なく、ＤＶＤ等を収納する場合には、別途ラックを購入してその上に薄型テレビを置く等の工夫が必要となる。しかもこの状態であっても、前記特開２０１４−９０８７３の場合と同様、外観上は薄型テレビそのものと代わり映えがしないし、別途のスピーカをつけて、高音質を楽しむ場合はスピーカを前記ラックとともにテレビ本体の近くに置く必要があった。
【０００８】
本考案は上記従来の事情に鑑みて提案されたものであって、薄型テレビでありながらレトロ調等デザイン上の雰囲気を醸し出すことができ、しかもテレビの視聴に必要なＤＶＤ等の収納、あるいは別付けのスピーカ等の配置が容易なテレビ付き家具を提供することを目的とするものである。
【課題を解決するための手段】
【０００９】
液晶テレビの表示枠に対応する窓を備えた筐体の、前記表示枠の内側に、当該窓に対応して表示画面が露出するように薄型テレビ本体を固定し、更に、当該薄型テレビ本体の後方または下側に収納部をそなえたテレビ付き家具である。
【００１０】
更に、前記液晶テレビ本体の両側、あるいは下側の両側にスピーカ窓を設けることができ、それに加えて前記表示画面の一方の側面にリモコン収納部を配置した家具である。
【考案の効果】
【００１１】
薄型テレビでありながら、家具調ブラウン管テレビと同様の外観を楽しむことができ、レトロ調あるいは好みに応じた外観に仕上げることができる。家具であるから当然収納部を構成することができ、ＤＶＤ等視聴に必要な備品を収納することができる。
【図面の簡単な説明】
【００１２】
【図１】本考案の概要を示す斜視図。
【図２】本考案の側面縦断面図。
【図３】本考案の薄型テレビの取り付け状態を示す図。
【図４】本考案の配線状態を示す図。
【考案を実施するための形態】
【００１３】
図１は本考案の外観を示す斜視図である。
【００１４】
筐体１１は、少なくとも、先世代のテレビのブラウン管の入る大きさ（縦、横、高さ）とする。即ちブラウン管は正面の表示部から電子銃の電極に至るまで、相当の奥行きがある。従って、前記筐体１１は正面の縦横の大きさだけでなく、奥行きにも相当の深さのある大きさとなる。この大きさの筐体１１の前面は薄型テレビの画面部分の大きさの窓１１１が設けられている。当該窓１１１に対応して、後述のように薄型テレビ本体１が取り付けられる。
【００１５】
また、ブラウン管テレビには、チャンネルつまみ、音量つまみ等の各種の調節つまみがブラウン管画面の左右（あるいは下側）のいずれかの側についているので、その部分のスペース（つまみスペース）が設けられ、この部分に下開きのドア１１２が設けられている。すなわち、図２に示すように、下端がヒンジ１１２ａになっており、上端縁に指掛け１１２ｂが設けられて、開閉できる構成になっている。また、当該ドア１１２を開いた部分の筐体１１の内側にはリモコンが入る大きさと深さの窪みが形成され、モコン収容部１１２ｃを構成している。
【００１６】
前記筐体１１の下側の、ブラウン管テレビではスピーカスペースであった部分が再現され、ここに別付けの左右のスピーカ２が配置される。スピーカ２の取り付けに関しては後述する。
【００１７】
更に、家具調を強調する場合には、前記窓１１１を持つ筐体１１の下側に、足を設けたりして装飾的効果を高めることができる。
【００１８】
図３は筐体１１への薄型テレビ本体１の取り付け状態を、筐体１１の内側から見た状態を示すものである。先ず、薄型テレビ本体１は本来土台盤に立設した脚に固定されるか、あるいは壁に固定できるようになっている。従って薄型テレビ本体１の裏側には当該薄型テレビ本体１を脚に取り付けるための、あるいは壁面に取り付けるための、固定用ビスが螺着できるように複数個所（例えば上下に間隔を置いて２箇所、合計４個）のビス孔２１が設けられている。一方、前記筐体１１の内部には、前記窓枠１１１の下付近に、上下の空間を仕切る仕切り板１２０が設けられている。ここでは前記ビス孔２１を利用してＬ字金具２２の縦軸を取り付け、Ｌ字金具２２の横軸を前記仕切り板１２０に固定する。これによって、薄型テレビの表示画面を前記窓枠１１１に押し付けた状態で固定することができることになる。
【００１９】
本考案では更に、前記筐体１１の前面で前記上下の仕切り板１２０の下側に、当該仕切り板１２０との間にスピーカ２に対応する高さを保って、下の仕切り板１３０を設け、当該下の仕切り板１３０と仕切り板１２０との間にスピーカ２に対応する窓２１１が設けられ、当該窓２１１の内側に、薄型テレビ１での使用が可能な、別付けのスピーカ２が設置される。これにより、別付けのスピーカ２から良質な音を、当該スピーカ２を筐体１１の中に納めた状態で、楽しむことができる。
【００２０】
すなわち、前記窓２１１に、下端のヒンジ２１２ａを中心に上側が開く、上開きドア２１２が設けられる。スピーカ２の設置あるいは取り外しは当該上開きドア２１２を開いて窓２１１から行うことができるようになっている。
【００２１】
前記したように、当該筐体１１はブラウン管の長さに対応する奥行きを備えている。ところが、ここではブラウン管ではなく薄型の表示画面を取り付けるので奥行き方向に余裕ができることになる。そこで前記奥行き方向（筐体の側面）の余裕部分に収納部１２、例えば抽斗１２ａが設けられ、この部分にＤＶＤ等、テレビの視聴に必要な機材、部品を収納できるようになっている。さらに抽斗１２ａに対応する側の側面は開き戸１２ｂとし、手を突っ込んで配線等の調整ができるようになっている。
【００２２】
更に、前記ドア１１２の表側には、チャンネル、音量等に対応する飾りのつまみが配列されてもよい。
【００２３】
電源線３０は外部から入れることができる。すなわち、液晶テレビには勿論電源線が必要でありコネクタ４０が前記仕切り板１２０の上に固定され、外部から電源線３０が接続される。その他、液晶テレビ自体がビデオ機能を持たない場合にはビデオ装置との接続をする必要がある。この場合、図２、図３に示す、薄型テレビ本体１の後ろの空間、仕切り板１２０の上、又は、スピーカの後ろの空間の、下の仕切り板１３０の上にビデオ装置を配置し、薄型テレビ本体の裏側で、当該薄型テレビ本体１との配線をすることができる。この場合前記開き戸１２ｂを開けての作業となる。
【産業上の利用可能性】
【００２４】
以上説明したように本考案は液晶テレビであるにもかかわらず、家具調としても使用することができ、また、レトロ調の材質を用いることによって、落ち着いた雰囲気を醸し出すことができる。
【図１】
0003204690.tif 000003
【図２】
0003204690.tif 000004
【図３】
0003204690.tif 000005
【図４】
0003204690.tif 000006